(57)【特許請求の範囲】
【請求項１】
一端部側にクランパが回転可能に枢支されたクランプアーム部と、一端部側にディスクをトレイ上に固定する押え部を有するディスク押え部とがシャーシに回動可能に枢支され、
前記クランプアーム部及び前記ディスク押え部の他端部側に、前記クランプアーム部及びディスク押え部の枢支軸方向に対して平行に摺動可能な摺動板が配設され、
該摺動板が、
前記クランパをディスクの上方に維持させる区間と、前記クランパを下降させてディスクを前記クランパとターンテーブルとの間に固定させる区間と、ディスクと固定された前記クランパを前記ターンテーブルの上昇に追従させて上昇させる区間とを含む形状のクランプアーム部用カム部と、
前記クランパによりディスクが固定されるまでの間、前記押え部を下降させてディスクをトレイ上に固定させる区間と、前記クランパによりディスクが固定された後、前記押え部を上昇させて該押え部によるディスクの固定を開放させる区間とを含む形状のディスク押え部用カム部とを備え、
前記クランプアーム部及びディスク押え部の他端部側が、前記摺動板の２個のカム部の形状に沿って上下に移動するように常時付勢されていることを特徴とするディスクのクランプ機構。
【発明の詳細な説明】
【０００１】
【産業上の利用分野】
本発明はディスクのクランプ機構に関し、より詳細には、例えば自動車等に搭載されるＣＤオートチェンジャに内蔵され、ディスクをマガジンから取り出し再生演奏する際、トレイやターンテーブルに固定するときに用いられるディスクのクランプ機構に関する。
【０００２】
【従来の技術】
自動車のトランク等に搭載されるＣＤオートチェンジャは多段マガジン部、プレイヤ部等を含んで構成されており、前記多段マガジン部の各段にはトレイが収納され、各トレイの所定箇所にはＣＤ（コンパクトディスク）が収容されるようになっている。また前記プレイヤ部はターンテーブル、ピックアップ等を含んで構成されており、ＣＤを再生する場合、まず所定のＣＤがトレイごと多段マガジン部からプレイヤ部側に取り出され、次にこのＣＤのみがターンテーブル上に載せられて所定速度で回転させられ、ピックアップにより電気信号として読み出されて再生される。このようなＣＤオートチェンジャでは、走行中の自動車の振動によりＣＤがトレイの所定箇所から外れ易く、この結果ターンテーブルに載り難いという問題があり、また前記振動によりＣＤがターンテーブルから外れたり、スリップし易くなり、確実な再生が難しいという問題があった。またトランクスペースの関係上、ＣＤオートチェンジャが縦置きに設置される場合もあり、この場合、前記ＣＤは縦状態となるため、前記現象が一層顕著になるという問題があった。これらの問題に対処するため、ＣＤオートチェンジャにおけるプレイヤ部には、トレイやターンテーブルにディスクを固定するためのクランプ機構が装備されている。
【０００３】
図４は従来のこの種ディスクのクランプ機構及びその周辺部を模式的に示した断面図であり、図中４１は前記プレイヤ部のシャーシを示している。シャーシ４１は金属板を用いて略中空直方体形状に形成されており、シャーシ４１上部の所定箇所にはクランプアーム部４２、ディスク押さえ部４３等が出入りする開口部４１ａが形成され、シャーシ４１下部の所定箇所にはターンテーブル４４等が出入りする開口部４１ｂが形成され、シャーシ４１の一側壁部にはトレイ１２が挿入される開口部４１ｃが形成されている。一方、トレイ１２は平面視略正方形形状に形成され、トレイ１２上には平面視円形状の凹部１２ａが形成され、凹部１２ａの中央を孔１２ｂが貫通しており、ＣＤ１１が凹部１２ａ内に挿入されることによりトレイ１２上の所定位置に保持されるようになっている。またトレイ１２下方におけるＣＤ１１の同心軸上には平面視略円形状のテーブル１３ａが装備されており、テーブル１３ａ上部の中央には突起部１３ｂが形成され、テーブル１３ａ下部には軸１３ｃが接続されている。軸１３ｃにはこれを上下動させる昇降駆動部とこれを回転させる回転駆動部（共に図示せず）とが接続されており、これらテーブル１３ａ、軸１３ｃ等を含んでターンテーブル１３が構成されている。
【０００４】
シャーシ４１上部の所定箇所には開口部４１ａをまたいで２個の突起部４２２ａ、４２２ｂが形成され、突起部４２２ａ、４２２ｂ間には支持軸４２ｂが軸支されており、支持軸４２ｂには取り付け金具４２ｄを介して略板形状のアーム４２ｃが回動可能に枢支されている。アーム４２ｃの左端部近傍の所定箇所にはクランパ４２１が取り付けられ、クランパ４２１はゴム等を用いて略円柱形状に形成されており、クランパ４２１下部には凹部４２１ｂが形成され、クランパ４２１側面の周囲には略リング形状の溝４２１ａが形成されている。そしてアーム４２ｃに形成された孔４２ｅの縁部が溝４２１ａ内に挿入されることにより、アーム４２ｃにクランパ４２１が回転可能に取り付けられている。またアーム４２ｃの右端部側には第１の駆動部（図示せず）が接続されており、この第１の駆動部を上下方向に作動させると、支持軸４２ｂを回転中心にしてクランパ４２１が矢印ＡまたはＢ方向に回動するようになっている。これら突起部４２２ａ、４２２ｂ、支持軸４２ｂ、アーム４２ｃ、クランパ４２１等を含んでクランプアーム部４２が構成されている。またクランパ４２１近傍の所定箇所には略逆Ｌ字形状のディスク押さえ部４３が移動可能に取り付けられており、ディスク押え部４３下面はＣＤ１１面と平行に維持されるようになっている。またディスク押え部４３上部には第２の駆動部（図示せず）が接続されており、この第２の駆動部を作動させると、ディスク押え部４３が矢印ＣまたはＤ方向に移動するようになっている。これらクランプアーム部４２、ディスク押え部４３等を含んでディスクのクランプ機構が構成されている。
【０００５】
このように構成されたディスクのクランプ機構を用いる場合、トレイ１２の凹部１２ａ内に収容された状態で、ＣＤ１１が前記多段マガジン部より搬送装置（共に図示せず）を用いて搬送され、シャーシ４１の左方から開口部４１ｃ内に挿入される。搬送中、ＣＤ１１はローラー（図示せず）等によりトレイ１２側に押し付け固定されている。トレイ１２が挿入された際、前記第２の駆動部を作動させると、ディスク押さえ部４３がＣ方向に移動し、ＣＤ１１はトレイ１２上面とディスク押さえ部４３下面とにより挟まれ、固定される。次に前記昇降駆動部を作動させると、ターンテーブル１３が上昇し、突起部１３ｂがＣＤ１１の孔１１ａ内に挿入され、テーブル１３ａ上面がＣＤ１１下面に当接する。すると前記第２の駆動部が作動してディスク押え部４３がＤ方向に移動し、固定が解除される。同時に前記第１の駆動部が作動し、クランプアーム部４２がＡ方向に移動し、クランパ４２１の凹部４２１ｂにターンテーブル１３の突起部１３ｂが挿入されると共に、クランパ４２１下面がＣＤ１１上面に当接し、ＣＤ１１はトレイ１２上面とクランパ４２１下面とで支持される。さらにターンテーブル１３が所定箇所まで上昇してゆくと、前記第１の駆動部が逆方向に作動し、ターンテーブル１３の上昇速度に追従してクランプアーム部４２が矢印Ｂ方向に移動し、ＣＤ１１はターンテーブル１３とクランパ４２１とで回動可能に支持される。次に前記回転駆動部を作動させると、ターンテーブル１３の回転につれてＣＤ１１が回転し、前記ピックアップにより再生される。再生終了後は上記工程とは逆の工程によりＣＤ１１がトレイ１２に収容され、前記多段マガジン部に収納される。
【０００６】
【発明が解決しようとする課題】
上記したディスクのクランプ機構においては、ディスク押え部４３とクランプアーム部４２との切り替えを同期させるのが難しという課題があった。またターンテーブル１３が上昇してＣＤ１１がトレイ１２から離れるとき、ＣＤ１１を支持しつつターンテーブル１３と同じ速度でクランプアーム部４２を追従させるのが難しいという課題があった。したがって、ＣＤ１１からディスク押え部４３下面が離れた際にクランパ４２１による支持が遅れると、自動車の振動等によりＣＤ１１がターンテーブル１３の突起部１３ｂから外れ、あるいは脱落し易くなるおそれがあった。一方、ＣＤ１１からディスク押え部４３の離脱が遅れたり、クランプアーム部４２の追従が遅れると、ターンテーブル１３が回転し難くなり、あるいはターンテーブル１３の前記回転・昇降駆動部に過大な負荷が掛かり易くなるおそれがあった。
【０００７】
またクランプアーム部４２とディスク押え部４３とには、これらを駆動する第１の駆動部と第２の駆動部とがそれぞれ接続されており、コストが掛かると共に、これらの設置・動作スペースが大きくなり、ディスクのクランプ機構はもとよりＣＤオートチェンジャ全体の小形化を図るのが阻害されるという課題があった。
【０００８】
本発明はこのような課題に鑑みなされたものであり、ディスク押え部とクランプアーム部との切り替えの同期と、ターンテーブルとクランプアーム部とにおける上昇速度の同一化とを簡単に図ることができ、ディスクを再生しない時は確実に固定すると共に、再生時には回転させつつ確実に支持することができ、ターンテーブルの駆動装置に対する負荷を減少することができると共に、コストを削減することができ、さらには小形化を図ることができるディスクのクランプ機構を提供することを目的としている。
【０００９】
【課題を解決するための手段】
上記目的を達成するために本発明に係るディスクのクランプ機構は、一端部側にクランパが回転可能に枢支されたクランプアーム部と、一端部側にディスクをトレイ上に固定する押え部を有するディスク押え部とがシャーシに回動可能に枢支され、前記クランプアーム部及び前記ディスク押え部の他端部側に、前記クランプアーム部及びディスク押え部の枢支軸方向に対して平行に摺動可能な摺動板が配設され、該摺動板が、前記クランパをディスクの上方に維持させる区間と、前記クランパを下降させてディスクを前記クランパとターンテーブルとの間に固定させる区間と、ディスクと固定された前記クランパを前記ターンテーブルの上昇に追従させて上昇させる区間とを含む形状のクランプアーム部用カム部と、前記クランパによりディスクが固定されるまでの間、前記押え部を下降させてディスクをトレイ上に固定させる区間と、前記クランパによりディスクが固定された後、前記押え部を上昇させて該押え部によるディスクの固定を開放させる区間とを含む形状のディスク押え部用カム部とを備え、前記クランプアーム部及びディスク押え部の他端部側が、前記摺動板の２個のカム部の形状に沿って上下に移動するように常時付勢されていることを特徴としている。
【００１２】
【作用】
上記構成のディスクのクランプ機構によれば、一端部側にクランパが回転可能に枢支されたクランプアーム部と、一端部側にディスクをトレイ上に固定する押え部を有するディスク押え部とがシャーシに回動可能に枢支され、前記クランプアーム部及び前記ディスク押え部の他端部側に、前記クランプアーム部及びディスク押え部の枢支軸方向に対して平行に摺動可能な摺動板が配設され、該摺動板が、前記クランパをディスクの上方に維持させる区間と、前記クランパを下降させてディスクを前記クランパとターンテーブルとの間に固定させる区間と、ディスクと固定された前記クランパを前記ターンテーブルの上昇に追従させて上昇させる区間とを含む形状のクランプアーム部用カム部と、前記クランパによりディスクが固定されるまでの間、前記押え部を下降させてディスクをトレイ上に固定させる区間と、前記クランパによりディスクが固定された後、前記押え部を上昇させて該押え部によるディスクの固定を開放させる区間とを含む形状のディスク押え部用カム部とを備え、前記クランプアーム部及びディスク押え部の他端部側が、前記摺動板の２個のカム部の形状に沿って上下に移動するように常時付勢されているので、前記摺動板が移動すると、前記クランプアーム部の他端部側が上または下方向に移動し、前記クランプアーム部の一端部側が下または上方向に所定角回動することとなる。そして該クランプアーム部の一端部側が下方向に回動した場合、前記クランパによりディスクを回転可能に支持し得る一方、上方向に回動した場合、前記クランパによる支持から前記ディスクを開放し得ることとなる。同様に前記摺動板が移動すると、前記ディスク押え部の他端部側が下または上方向に移動し、前記ディスク押え部の一端部側が上または下方向に所定角回動することとなる。そして該ディスク押え部の一端部側が上方向に回動した場合、前記ディスク押え部の一端部側による固定から前記ディスクを開放し得る一方、下方向に回動した場合、前記ディスク押え部の一端部側により前記ディスクを固定し得ることとなる。したがって前記クランパまたは前記ディスク押え部の一端部側のいずれかにより、前記ディスクを回転可能に支持し、あるいは固定し得ることとなる。また前記摺動板が１個の駆動部により駆動されるので前記クランパと前記ディスク押え部とが確実に同期することとなり、また従来の機構に比べて簡単な構造となるため、コストを削減し得ると共に小形化を容易に図り得ることとなる。
【００１５】
【実施例】
以下、本発明に係るディスクのクランプ機構の実施例を図面に基づいて説明する。なお、従来例と同一機能を有する構成部品には同一の符号を付すこととする。
図１及び図２は本発明に係るディスクのクランプ機構の実施例を模式的に示した斜視図及び断面図であり、図２の（ａ）はディスクがトレイに収容されている状態、（ｂ）はターンテーブルにより持ち上げられている状態を示している。図４に示したものと同様、シャーシ４１上部の所定箇所には開口部４１ａをまたいで２個の突起部４２２ａ、４２２ｂが形成され、突起部４２２ａ、４２２ｂ間には支持軸４２ｂが軸支されており、支持軸４２ｂはシャーシ１１の右側壁部面と平行に設定されている。支持軸４２ｂには取り付け金具２１ａを介して平板２１ｂが回動可能に枢支され、平板２１ｂ左端部中央からは平板２１ｃが延設され、平板２１ｂ右端部における突起部４２２ａ近傍からは平板２１ｄが延設されており、これら取り付け金具２１ａ、平板２１ｂ、２１ｃ、２１ｄによりアーム２１が構成されている。アーム２１左端部近傍の所定箇所には図４に示したものと同様のクランパ４２１が取り付けられる一方、アーム２１の右端部側からは略丸棒形状のピン２３が延設されており、アーム２１右側部はコイルバネ２４等により常時上方に付勢されている。これら突起部４２２ａ、４２２ｂ、支持軸４２ｂ、アーム２１、クランパ４２１、ピン２３、コイルバネ２４等を含んでクランプアーム部２０が構成されている。
【００１６】
また支持軸４２ｂには取り付け金具２６ａを介して平板２６ｂが回動可能に枢支され、平板２６ｂ左端部中央からは平面視略Ｔ字形状の連結板２６ｃが延設され、連結板２６ｃの両端部からは断面視略逆Ｌ字形状を有する２個の押え部２６ｄが延設されており、トレイ１２上のＣＤ１１面に当接した際、押え部２６ｄ下面は密接するようになっている。また平板２６ｂ右端部における突起部４２２ｂ近傍からは平板２６ｅが延設されており、これら取り付け金具２６ａ、平板２６ｂ、２６ｅ、連結板２６ｃ、押え部２６ｄによりアーム２６が構成されている。アーム２６の右端部側からは略丸棒形状のピン２７が延設されており、アーム２６右側部はコイルバネ２８等により常時上方に付勢されている。これらアーム２６、ピン２７、コイルバネ２８等を含んでディスク押え部２５が構成されている。
【００１７】
一方、略長方形板形状の摺動板３０には長孔３１が形成されており、長孔３１内に挿入された頭付きピン３１ａにより、支持軸４２ｂに対して摺動板３０が平行、かつ摺動可能にシャーシ４１の右側壁面へ取り付けられている。摺動板３０にはそれぞれ所定形状を有する２個のカム部３２、３３が形成されており、カム部３２、３３にはそれぞれクランプアーム部２０のピン２３、ディスク押え部２５のピン２７が挿入され、ピン２３、２７はそれぞれコイルバネ２４、２８により付勢されてカム部３２、３３に常時押し付けられている。図３に示したように、カム部３２ａ、３３ａ間のピッチＰは所定長さに設定されており、またカム部３２の勾配３２ｂ及びカム部３３の勾配３３ｂはそれぞれ所定の傾斜角α及びβに設定されており、傾斜角αに比べて傾斜角βは大きく設定されている。また摺動板３０はターンテーブル１３の昇降駆動部等に接続機構（共に図示せず）を介して接続されており、前記昇降駆動部等が作動すると、摺動板３０が所定速度で矢印ＥまたはＦ方向に移動するようになっている。その他の構成は図４に示したものと同様であるので、ここではその構成の詳細な説明は省略するものとする。これらクランプアーム部２０、ディスク押え部２５、摺動板３０、カム部３２、３３、前記昇降駆動部等を含んでディスクのクランプ機構が構成されている。
【００１８】
以下に、このように構成されたディスクのクランプ機構を用い、ＣＤをクランプする場合について説明する。まずトレイ１２が開口部４１ｃ内に挿入された際、ピン２３、２７はピン２３ａ、２７ａ（図３）の位置に押し下げられた状態になっており、したがってクランパ４２１、押え部２６ｄはＣＤ１１の上方に離れている。次に前記昇降駆動部等を作動させると、摺動板３０が矢印Ｅ方向に移動し、ピン２３、２７がピン２３ｂ、２７ｂ（図３）の位置に移動する。するとクランパ４２１はＣＤ１１上方に維持される一方、押え部２６ｄが下降し、ＣＤ１１は押え部２６ｄ下面とトレイ１２上面との間に挟まれ固定される（図２（ａ））。さらに摺動板３０が移動すると、ピン２７がピン２７ｃ、２７ｄ（図３）の位置に移動し、この間ＣＤ１１は押え部２６ｄ下面により固定され続ける。一方、ピン２３はピン２３ｃ（図３）の位置から押し上げられ始め（クランパ４２１が下がり始め）、ピン２３ｄ（図３）の位置に押し上げられた際、ＣＤ１１はクランパ４２１とターンテーブル１３との間に挟まれ固定される。このときターンテーブル１３はＣＤ１１下面に当接する。さらにターンテーブル１３が上昇し、摺動板３０が移動すると、ピン２３が勾配３２ｂ（図３）により押し下げられ、クランパ４２１がターンテーブル１３の上昇速度に追従して上昇し、ＣＤ１１はクランパ４２１により固定され続ける。同時に勾配３３ｂ（図３）によりピン２７がピン２３に比べて急速に押し下げられ、押え部２６ｄが急上昇してＣＤ１１上面から離れ、ＣＤ１１はクランパ４２１のみにより回転可能に支持される（図２（ｂ））。ターンテーブル１３が所定高さに上昇すると、摺動板３０の移動が停止され、ピン２３、２７はピン２３ｅ、２７ｅの位置に停止し、ＣＤ１１はクランパ４２１により回転可能に支持され続ける。再生後は上記工程と逆の工程によりＣＤ１１がトレイ１２に収容される。
【００１９】
上記説明から明らかなように、実施例に係るディスクのクランプ機構では、一端部側にクランパ４２１が回転可能に枢支されたクランプアーム部２０と、一端部側にディスク１１をトレイ１２上に固定する押え部２６ｄを有するディスク押え部２５とがシャーシ４１に回動可能に枢支され、クランプアーム部２０及びディスク押え部２５の他端部側に、クランプアーム部２０及びディスク押え部２５の枢支軸４２ｂ方向に対して平行に摺動可能な摺動板３０が配設され、摺動板３０が、クランパ４２１をディスク１１の上方に維持させる区間と、クランパ４２１を下降させてディスク１１をクランパ４２１とターンテーブル１３との間に固定させる区間と、ディスク１１と固定されたクランパ４２１をターンテーブル１３の上昇に追従させて上昇させる区間とを含む形状のカム部３２と、クランパ４２１によりディスク１１が固定されるまでの間、押え部２６ｄを下降させてディスク１１をトレイ１２上に固定させる区間と、クランパ４２１によりディスク１１が固定された後、押え部２６ｄを上昇させて押え部２６ｄによるディスク１１の固定を開放させる区間とを含む形状のカム部３３とを備え、クランプアーム部２０及びディスク押え部２５の他端部側が、摺動板３０の２個のカム部３２、３３の形状に沿って上下に移動するように常時付勢されているので、摺動板３０が移動すると、クランプアーム部２０のピン２３がカム部３２に沿って上または下方向に移動し、クランプアーム部２０のクランパ４２１側が下または上方向に所定角回動する。そしてクランプアーム部２０のクランパ４２１側が下方向に回動した場合、クランパ４２１によりＣＤ１１を回転可能に支持する一方、上方向に回動した場合、クランパ４２１による支持からＣＤ１１を開放することができる。同様に摺動板３０が移動すると、ディスク押え部２５のピン２７がカム部３３に沿って下または上方向に移動し、ディスク押え部２５の押え部２６ｄ側が上または下方向に所定角回動する。そしてディスク押え部２５の押え部２６ｄ側が上方向に回動した場合、ディスク押え部２５の押え部２６ｄによる固定からＣＤ１１を開放する一方、下方向に回動した場合、ディスク押え部２５の押え部２６ｄによりＣＤ１１を固定することができる。したがってＣＤ１１をクランパ４２１または押え部２６ｂのいずれかにより、回転可能に支持し、あるいは固定することができる。また摺動板３０が１個の駆動部により駆動されるので、クランパ４２１と押え部２６ｂとを確実に同期させることができ、また従来の構造に比べて簡単なものとなるため、コストを削減すると共に、小形化を容易に図ることができる。
【００２０】
また摺動板３０に形成された２個のカム部３２ａ、３３ａ間が、所定ピッチＰに設定されているので、ＣＤ１１がクランパ４２１により回転可能に支持されたとき、押え部２６ｄによる固定をタイミングよく開放することができ、あるいはクランパ４２１によるＣＤ１１の支持が開放されたとき、押え部２６ｄによりタイミングよくＣＤ１１を固定することができる。したがって再生時にはＣＤ１１を確実に所定速度で回転させつつ支持する一方、再生しない時は確実に固定することができると共に、ターンテーブル１３の回転駆動部に対する負荷を削減することができる。
【００２１】
また摺動板３０に形成された２個のカム部３２、３３の勾配３２ｂ、３３ｂがそれぞれ所定の傾斜角α、βに設定されると共に、摺動板３０の移動速度が所定速度に設定されているので、クランパ４２１と押え部２６ｄとの各昇降速度を簡単かつ確実に制御することができる。したがって、ターンテーブル１３の昇降速度とクランパ４２１の昇降速度とが同じように設定されていると、ターンテーブル１３に追従してクランパ４２１が昇降し、クランパ４２１によりＣＤ１１を一層確実に支持すると共に、ターンテーブル１３の昇降駆動部に対する負荷を一層削減することができる。またターンテーブル１３及びクランパ４２１の上昇速度に対して押え部２６ｄの上昇速度が相対的に速くなるように設定されていると、押え部２６ｄによる固定を一層確実に開放すると共に、ターンテーブル１３の昇降駆動部に対する負荷を一層削減することができる。
【００２２】
【発明の効果】
以上詳述したように本発明に係るディスクのクランプ機構（１）にあっては、一端部側にクランパが回転可能に枢支されたクランプアーム部と、一端部側にディスクをトレイ上に固定する押え部を有するディスク押え部とがシャーシに回動可能に枢支され、前記クランプアーム部及び前記ディスク押え部の他端部側に、前記クランプアーム部及びディスク押え部の枢支軸方向に対して平行に摺動可能な摺動板が配設され、該摺動板が、前記クランパをディスクの上方に維持させる区間と、前記クランパを下降させてディスクを前記クランパとターンテーブルとの間に固定させる区間と、ディスクと固定された前記クランパを前記ターンテーブルの上昇に追従させて上昇させる区間とを含む形状のクランプアーム部用カム部と、前記クランパによりディスクが固定されるまでの間、前記押え部を下降させてディスクをトレイ上に固定させる区間と、前記クランパによりディスクが固定された後、前記押え部を上昇させて該押え部によるディスクの固定を開放させる区間とを含む形状のディスク押え部用カム部とを備え、前記クランプアーム部及びディスク押え部の他端部側が、前記摺動板の２個のカム部の形状に沿って上下に移動するように常時付勢されているので、前記摺動板が移動すると、前記クランプアーム部の他端部側が上または下方向に移動し、前記クランプアーム部の一端部側が下または上方向に所定角回動する。そして該クランプアーム部の一端部側が下方向に回動した場合、前記クランパによりディスクを回転可能に支持する一方、上方向に回動した場合、前記クランパによる支持から前記ディスクを開放することができる。同様に前記摺動板が移動すると、前記ディスク押え部の他端部側が下または上方向に移動し、前記ディスク押え部の一端部側が上または下方向に所定角回動する。そして該ディスク押え部の一端部側が上方向に回動した場合、前記ディスク押え部の一端部側による固定から前記ディスクを開放する一方、下方向に回動した場合、前記ディスク押え部の一端部側により前記ディスクを固定することができる。したがって前記クランパまたは前記ディスク押え部の一端部側のいずれかにより、前記ディスクを回転可能に支持し、あるいは固定することができる。また前記摺動板が１個の駆動部により駆動されるので、前記クランパと前記ディスク押え部とを確実に同期させることができ、また従来の機構に比べて簡単な構造となるため、コストを削減すると共に小形化を容易に図ることができる。
【図面の簡単な説明】
【図１】本発明に係るディスクのクランプ機構の実施例を模式的に示した斜視図である。
【図２】実施例に係るディスクのクランプ機構を模式的に示した断面図であり、（ａ）はディスクがトレイに収容されている状態、（ｂ）はターンテーブルにより持ち上げられている状態を示している。
【図３】実施例に係るディスクのクランプ機構のカム部形状とピンの動きとを説明するために示した概略図である。
【図４】従来のディスクのクランプ機構及びその周辺部を模式的に示した断面図である。
【符号の説明】
２０  クランプアーム部
２３  ピン
２５  ディスク押え部
２７  ピン
３０  摺動板
３２、３２ａ  カム部
３３、３３ａ  カム部
４１  シャーシ
４２ｂ  支持軸
４２１  クランパ
【図１】
0003601852.tif 000002
【図２】
0003601852.tif 000003
【図３】
0003601852.tif 000004
【図４】
0003601852.tif 000005